(57)【要約】【課題】交換レンズの種類に応じて、電源オフ時の最適な絞り制御を行う撮像装置を提供する。【解決手段】交換レンズが着脱可能な撮像装置であって、交換レンズを介して形成された光学像の光電変換を行う撮像素子と、交換レンズの種類に基づいて、撮像装置の電源がオフになった場合に交換レンズへの電力供給を停止するか否かを判定する制御部とを有し、制御部は、撮像装置の電源がオフになって交換レンズへの電力供給を停止すると判定した場合、交換レンズに設定された第１の絞り状態から第２の絞り状態になるように絞り制御を行った後に交換レンズへの電力供給を停止し、撮像装置の電源がオンになった場合、交換レンズに電力供給を行って、第２の絞り状態から第１の絞り状態になるように開放制御を行う。【選択図】図１
2014021281.tif 000002
【特許請求の範囲】
【請求項１】
交換レンズが着脱可能な撮像装置であって、
前記交換レンズを介して形成された光学像の光電変換を行う撮像素子と、
前記交換レンズの種類に基づいて、前記撮像装置の電源がオフになった場合に該交換レンズへの電力供給を停止するか否かを判定する制御部と、を有し、
前記制御部は、
前記撮像装置の電源がオフになって前記交換レンズへの前記電力供給を停止すると判定した場合、該交換レンズに設定された第１の絞り状態から第２の絞り状態になるように絞り制御を行った後に該交換レンズへの該電力供給を停止し、
前記撮像装置の電源がオンになった場合、前記交換レンズに前記電力供給を行って、前記第２の絞り状態から前記第１の絞り状態になるように開放制御を行う、ことを特徴とする撮像装置。
【請求項２】
前記制御部は、
前記撮像装置の電源がオフになって前記交換レンズへの前記電力供給を停止すると判定した場合であって、該交換レンズから電源オフ準備処理のエラー通知を受信した場合、該エラー通知に前記絞り制御に関するエラーが含まれるか否かを判定し、
前記エラー通知に前記絞り制御に関するエラーが含まれていない場合、前記第１の絞り状態から前記第２の絞り状態になるように前記絞り制御を行った後に前記交換レンズへの前記電力供給を停止する、ことを特徴とする請求項１に記載の撮像装置。
【請求項３】
前記第２の絞り状態は、最小絞り状態であることを特徴とする請求項１または２に記載の撮像装置。
【請求項４】
交換レンズが着脱可能な撮像装置であって、
前記交換レンズを介して形成された光学像の光電変換を行う撮像素子と、
前記交換レンズの種類に基づいて、該交換レンズが所定の機能を切り替えるスイッチを有するか否かを判定する制御部と、を有し、
前記制御部は、
前記交換レンズが前記スイッチを有すると判定した場合、該交換レンズから該スイッチが切り替えられたことの通知を受信すると、前記撮像装置の電源をオンにして前記所定の機能の切り替えを該撮像装置に反映させ、
前記交換レンズが前記スイッチを有しないと判定した場合、前記撮像装置の電源がオンになった後に、前記所定の機能の切り替えの要否をメニュー項目として表示部に表示させる、ことを特徴とする撮像装置。
【請求項５】
前記スイッチは、ＡＦ／ＭＦの機能を切り替えるＡＦ／ＭＦ切り替えスイッチであることを特徴とする請求項４に記載の撮像装置。
【請求項６】
前記交換レンズの種類を判定するための端子を更に有し、
前記制御部は、該交換レンズから該端子に入力される電圧値に基づいて該交換レンズの種類を判定することを特徴とする請求項１乃至５のいずれか１項に記載の撮像装置。
【請求項７】
撮像装置に着脱可能な交換レンズであって、
光量を調整する絞りユニットと、
前記交換レンズの種類に関する情報を前記撮像装置に送信するレンズ種類判定部と、
前記絞りユニットを制御する制御部と、を有し、
前記制御部は、
前記撮像装置の電源がオフになった場合、該撮像装置からの指令に応じて、設定された第１の絞り状態から第２の絞り状態になるように絞り制御を行い、該絞り制御が完了したことを該撮像装置へ通知し、
前記撮像装置の電源がオンになった場合、該撮像装置からの電力供給後に、前記第２の絞り状態から前記第１の絞り状態になるように開放制御を行う、ことを特徴とする交換レンズ。
【請求項８】
撮像装置に着脱可能な交換レンズであって、
光量を調整する絞りユニットと、
前記交換レンズの種類に関する情報を前記撮像装置に送信するレンズ種類判定部と、
前記絞りユニットを制御する制御部と、
前記レンズ種類判定部は、前記交換レンズの種類に基づいて、該交換レンズが所定の機能を切り替えるスイッチを有するか否かを判定し、
前記制御部は、前記交換レンズが前記スイッチを有する場合、前記撮像装置の電源をオンにして前記所定の機能の切り替えを該撮像装置に反映させるように、該スイッチが切り替えられたことを前記撮像装置に通知する、ことを特徴とする交換レンズ。
【請求項９】
請求項１乃至６のいずれか１項に記載の撮像装置と、
前記撮像装置に着脱可能な交換レンズと、を有することを特徴とするカメラシステム。
【発明の詳細な説明】
【技術分野】
【０００１】
本発明は、交換レンズが着脱可能な撮像装置に関する。
【背景技術】
【０００２】
デジタル一眼レフカメラに代表されるカメラシステムでは、交換レンズをカメラに装着した状態でカメラから電力を供給し、カメラと交換レンズとの間で制御情報や各種レンズデータなどの送受信が行われる。例えば、交換レンズとして動画撮影用レンズがカメラに装着された場合、交換レンズへの電力供給（消費電力）が大きくなるため、省電力を重視した制御が好ましい。また、電子ビューファインダ専用カメラ（ＥＶＦ専用カメラ）は、ミラー部材などを無くすことでより小型化することがメリットの１つに挙げられるが、それゆえにフランジバックが短い設計とならざるをえない。その結果、保護する部材が無いイメージセンサを保護するための制御が必要となる。
【０００３】
特許文献１には、交換レンズの電源遮断前に電源遮断を予告する通知コマンドを発行し、レンズの情報を記憶した後にカメラ−レンズ間の電源遮断処理を行う構成が開示されている。特許文献２には、イメージセンサを保護するため、電源遮断時に所定の光量になるまで絞りを行った後に電源を遮断する制御方法が開示されている。
【先行技術文献】
【特許文献】
【０００４】
【特許文献１】特開２０１１−１４９９７１号公報
【特許文献２】特開２００９−２６０９５９号公報
【発明の概要】
【発明が解決しようとする課題】
【０００５】
しかしながら、撮像装置に装着可能な交換レンズとしては、静止画撮影用レンズや動画撮影用レンズなど異なる用途のレンズがある。また、ＡＦ（オートフォーカス）とＭＦ（マニュアルフォーカス）などの機能を切り替えるスイッチを有する交換レンズおよびこのようなスイッチを有しない交換レンズがある。一方、特許文献１および特許文献２の構成では、交換レンズの種類に応じて適切な制御、具体的には電源オフ時の適切な絞り制御、または、適切な機能切り替え制御を行うことができない。
【０００６】
そこで本発明は、交換レンズの種類に応じて、電源オフ時に適切な絞り制御を行う撮像装置および交換レンズを提供する。また、交換レンズの種類に応じて適切な機能切り替えを行う撮像装置および交換レンズを提供する。また、このような撮像装置と交換レンズとを備えたカメラシステムを提供する。
【課題を解決するための手段】
【０００７】
本発明の一側面としての撮像装置は、交換レンズが着脱可能な撮像装置であって、前記交換レンズを介して形成された光学像の光電変換を行う撮像素子と、前記交換レンズの種類に基づいて、前記撮像装置の電源がオフになった場合に該交換レンズへの電力供給を停止するか否かを判定する制御部とを有し、前記制御部は、前記撮像装置の電源がオフになって前記交換レンズへの前記電力供給を停止すると判定した場合、該交換レンズに設定された第１の絞り状態から第２の絞り状態になるように絞り制御を行った後に該交換レンズへの該電力供給を停止し、前記撮像装置の電源がオンになった場合、前記交換レンズに前記電力供給を行って、前記第２の絞り状態から前記第１の絞り状態になるように開放制御を行う。
【０００８】
本発明の他の側面としての撮像装置は、交換レンズが着脱可能な撮像装置であって、前記交換レンズを介して形成された光学像の光電変換を行う撮像素子と、前記交換レンズの種類に基づいて、該交換レンズが所定の機能を切り替えるスイッチを有するか否かを判定する制御部とを有し、前記制御部は、前記交換レンズが前記スイッチを有すると判定した場合、該交換レンズから該スイッチが切り替えられたことの通知を受信すると、前記撮像装置の電源をオンにして前記所定の機能の切り替えを該撮像装置に反映させ、前記交換レンズが前記スイッチを有しないと判定した場合、前記撮像装置の電源がオンになった後に、前記所定の機能の切り替えの要否をメニュー項目として表示部に表示させる。
【０００９】
本発明の他の側面としての交換レンズは、撮像装置に着脱可能な交換レンズであって、光量を調整する絞りユニットと、前記交換レンズの種類に関する情報を前記撮像装置に送信するレンズ種類判定部と、前記絞りユニットを制御する制御部とを有し、前記制御部は、前記撮像装置の電源がオフになった場合、該撮像装置からの指令に応じて、設定された第１の絞り状態から第２の絞り状態になるように絞り制御を行い、該絞り制御が完了したことを該撮像装置へ通知し、前記撮像装置の電源がオンになった場合、該撮像装置からの電力供給後に、前記第２の絞り状態から前記第１の絞り状態になるように開放制御を行う。
【００１０】
本発明の他の側面としての交換レンズは、撮像装置に着脱可能な交換レンズであって、光量を調整する絞りユニットと、前記交換レンズの種類に関する情報を前記撮像装置に送信するレンズ種類判定部と、前記絞りユニットを制御する制御部と、前記レンズ種類判定部は、前記交換レンズの種類に基づいて、該交換レンズが所定の機能を切り替えるスイッチを有するか否かを判定し、前記制御部は、前記交換レンズが前記スイッチを有する場合、前記撮像装置の電源をオンにして前記所定の機能の切り替えを該撮像装置に反映させるように、該スイッチが切り替えられたことを前記撮像装置に通知する。
【００１１】
本発明の他の側面としてのカメラシステムは、前記撮像装置と、前記撮像装置に着脱可能な交換レンズとを有する。
【００１２】
本発明の他の目的及び特徴は、以下の実施例において説明される。
【発明の効果】
【００１３】
本発明によれば、交換レンズの種類に応じて、電源オフ時に適切な絞り制御を行う撮像装置および交換レンズを提供することができる。また、交換レンズの種類に応じて適切な機能切り替えを行う撮像装置および交換レンズを提供することができる。また、このような撮像装置と交換レンズとを備えたカメラシステムを提供することができる。
【図面の簡単な説明】
【００１４】
【図１】実施例１におけるカメラシステムのブロック図である。
【図２】実施例１において、交換レンズの種類の判定方法の説明図である。
【図３】実施例１において、カメラと交換レンズとの通信における信号波形図である。
【図４】実施例１において、カメラマイコンからレンズマイコンに送信されるカメラコマンドを示すコマンド表である。
【図５Ａ】実施例１において、カメラが電源オフ状態から電源オン状態へ移行する際のカメラの動作を示すフローチャートである。
【図５Ｂ】実施例１において、カメラが電源オフ状態から電源オン状態へ遷移する際の交換レンズの動作を示すフローチャートである。
【図６Ａ】実施例１において、カメラが電源オン状態から電源オフ状態へ遷移する際のカメラの動作を示すフローチャートである。
【図６Ｂ】実施例１において、カメラが電源オン状態から電源オフ状態へ遷移する際の交換レンズの動作を示すフローチャートである。
【図７】実施例２において、カメラが電源オン状態から電源オフ状態へ遷移する際のカメラの動作を示すフローチャートである。
【図８】実施例３において、カメラの電源オフ時において、カメラおよび交換レンズの動作を表すフローチャートである。
【発明を実施するための形態】
【００１５】
以下、本発明の実施例について、図面を参照しながら詳細に説明する。各図において、同一の部材については同一の参照番号を付し、重複する説明は省略する。
【実施例１】
【００１６】
まず、図１を参照して、本発明の実施例１におけるカメラシステムの構成について説明する。図１は、本実施例におけるカメラシステムのブロック図である。本実施例のカメラシステムは、カメラ１０（撮像装置）とカメラ１０に着脱可能な交換レンズ１００とを備えて構成される。カメラ１０および交換レンズ１００は、カメラ１０から交換レンズ１００に電力を供給したり相互に通信したりするための電気的接点を備えたマウント１ａ、１ｂ（カメラマウント、レンズマウント）をそれぞれ有する。なお本実施例は、カメラに装着可能な交換レンズ１００について説明するが、交換レンズ１００以外のカメラアクセサリに対しても適用可能である。
【００１７】
カメラ１０は、交換レンズ１００内の撮影レンズ１０１を介して形成された光学像としての被写体像を光電変換して電気信号を出力するセンサ１１（イメージセンサ、撮像素子）を有する。またカメラ１０は、センサ１１から出力されたアナログ電気信号をデジタル信号に変換するＡ／Ｄ変換部１２、および、このデジタル信号に対して各種の画像処理を行って映像信号を生成する画像処理部１３を有する。画像処理部１３にて生成された映像信号（静止画像や動画像）は、表示部１４に表示され、または、記憶媒体１５に記録される。
【００１８】
カメラ１０は、後述のカメラ制御部１８により用いられる動作プログラムを格納するためのメモリ１６を有する。またカメラ１０は、電源のオン／オフを行うための電源スイッチ、映像信号の記録を開始させる撮影スイッチ、映像信号の記録を開始させる映像スイッチ、および、各種メニューの設定を行うための選択／設定スイッチなどを含む操作入力部１７を有する。カメラ制御部１８は、カメラマイコン２０（マイクロコンピュータ）を含み、操作入力部１７からの信号に応じて画像処理部１３を制御し、また、交換レンズ１００とのレンズ通信を制御する。またカメラ制御部１８は、レンズ電源供給判定部１９およびカメラ電源部２１を含むが、これらの詳細については後述する。
【００１９】
一方、交換レンズ１００は、撮影レンズ１０１に含まれる不図示のフォーカスレンズ、ズームレンズ、および、防振レンズを移動または動作させるアクチュエータを駆動するレンズ駆動部１０２を有する。また交換レンズ１００は、カメラ制御部１８から通信によって受け取った制御信号に応じてレンズ駆動部１０２を制御するレンズマイコン２１１（マイクロコンピュータ）を含むレンズ制御部１０３を有する。絞り制御部１０４は、レンズマイコン２１１からの制御信号に従って不図示の絞りモータを制御して絞りユニット１０５を制御する。レンズマイコン２１１（制御部）の指令に基づいて、絞り制御部１０４により絞りユニット１０５の絞り値（絞り状態）が制御されることで、光量が調整される。またレンズ制御部１０３は、レンズ種類判定部２１３およびレンズ電源部２１４を含むが、これらの詳細については後述する。
【００２０】
図１に示されるように、マウント１ａ、１ｂには、カメラ１０（カメラ制御部１８）と交換レンズ１００（レンズ制御部１０３）との電気的接続を行うための各種の端子が設けられている。ＬＣＬＫ端子１−１は、カメラ１０と交換レンズ１００との間で入出力される通信クロック信号用の端子である。ＤＣＬ端子１−２は、カメラ１０から交換レンズ１００に出力される通信データ用の端子である。ＤＬＣ端子１−３は、交換レンズ１００からカメラ１０に出力される通信データ用の端子である。ＭＩＦ端子１−４は、カメラ１０に交換レンズ１００が装着されたことを検出するための端子である。カメラ制御部１８は、ＭＩＦ端子の電圧に基づいて、交換レンズ１００がカメラ１０に装着されたことを検出する。
【００２１】
ＤＴＥＦ端子１−５は、カメラ１０に装着された交換レンズ１００の種類を検出するための端子である。カメラ制御部１８は、ＤＴＥＦ端子の電圧に基づいて、カメラ１０に装着された交換レンズ１００の種類を検出する。ＶＢＡＴ端子１−６は、カメラ１０から交換レンズ１００に、通信制御を除く各種動作に用いられる駆動用電源ＶＭを供給するための端子である。ＶＤＤ端子１−７は、カメラ１０から交換レンズ１００に、通信制御に用いられる通信制御用電源ＶＤＤを供給する端子である。ＤＧＮＤ端子１−８は、カメラ１０と交換レンズ１００の通信制御系をグランド（ＧＮＤ）に接続する端子である。ＰＧＮＤ端子１−９は、カメラ１０と交換レンズ１００に設けられたモータなどを含むメカニカル駆動系をグランドに接続するための端子である。
【００２２】
カメラ制御部１８内に設けられたカメラ電源部２１は、カメラ１０に搭載された不図示のバッテリから供給されたバッテリ電圧を、各回路の動作に必要な電圧に変換する。この際、カメラ電源部２１は、電圧Ｖ１、Ｖ２、ＶＭを生成する。電圧Ｖ１（第１の電圧）は、交換レンズ１００の通信制御用電源ＶＤＤとしての電源電圧であるととともに、交換レンズ１００の通信電圧である。電圧Ｖ２（第２の電圧）は、カメラマイコン２０の動作用電源としての電源電圧である。電圧ＶＭ（第３の電圧）は、交換レンズ駆動用電源としての電源電圧である。なお、電圧Ｖ１と電圧Ｖ２または電圧ＶＭは互いに同じ電圧に設定されていてもよく、また、電圧Ｖ２と電圧Ｖ１または電圧ＶＭが互いに同じ電圧に設定されていてもよい。
【００２３】
レンズ電源供給判定部１９は、カメラマイコン２０のＣＮＴ＿ＤＤ端子からＨ（Ｈｉｇｈ）レベル信号が入力されると、ＶＢＡＴ端子１−６を介して、カメラ１０から交換レンズ１００へ電圧ＶＭを供給する。またこのとき、レンズ電源供給判定部１９は、電圧Ｖ１を電圧Ｖ３に変換し、ＶＤＤ端子を介してレンズ電源部２１４に電力（電圧Ｖ３）を供給する。これらの詳細については後述する。
【００２４】
カメラマイコン２０は、交換レンズ１００と通信を行う。カメラマイコン２０は、通信用クロック信号を入出力するＣＣＬＫ端子、交換レンズ１００への通信データを出力するＤＣＬ＿ＯＵＴ端子、および、交換レンズ１００から通信データの入力を受け付けるＤＬＣ＿ＩＮ端子を有する。通信用クロック信号および通信データは、通信用の信号に相当する。カメラマイコン２０は、カメラ通信手段として機能する。カメラマイコン２０は、交換レンズ１００の装着を検出するためのＭＩＦ＿ＩＮ端子、および、交換レンズ１００の種類を識別するためのＤＴＥＦ＿ＩＮ端子を有する。またカメラマイコン２０は、レンズ電源供給判定部１９への通電信号を出力するＣＮＴ＿ＶＤＤ端子、画像処理部１３との接続端子、および、操作入力部１７との接続端子を有する。
【００２５】
電圧生成手段としてのレンズ電源部２１４は、カメラ１０から交換レンズ１００に供給された電力ＶＤＤ（電圧Ｖ３）を、電圧Ｖ４（第４の電圧）に変換する。レンズ制御部１０３内のレンズマイコン２１１は、カメラマイコン２０と通信を行う。レンズマイコン２１１は、通信用クロック信号の入出力するＬＣＬＫ端子、カメラ１０への通信データを出力するＤＬＣ＿ＯＵＴ端子、カメラ１０からの通信データの入力を受けるＤＣＬ＿ＩＮ端子、および、レンズ駆動部１０２との接続端子を有する。レンズマイコン２１１は、レンズ通信手段として機能する。
【００２６】
続いて、交換レンズ１００のカメラ１０への装着検出について説明する。カメラマイコン２０のＭＩＦ＿ＩＮ端子は、抵抗Ｒ２（１００ＫΩ）によって電源にプルアップされている。このため、レンズ未装着時において、ＭＩＦ＿ＩＮ端子の電圧値はＨ（Ｈｉｇｈ）となる。一方、ＭＩＦ＿ＩＮ端子は、交換レンズ１００が装着されると、交換レンズ１００のグランド（ＧＮＤ）に接続される。このため、交換レンズ１００の種類にかかわらず、交換レンズ１００がカメラ１０に装着されることにより、ＭＩＦ＿ＩＮ端子の電圧値はＬ（Ｌｏｗ）となる。
【００２７】
続いて、レンズ種類判定部２１３の構成例について説明する。レンズ種類判定部２１３は、交換レンズ１００の種類に関する情報をカメラ１０に送信する。レンズ種類判定部２１３は、マウント１ａ、１ｂに設けられたＤＴＥＦ端子１−５とグランド（ＧＮＤ）との間に設けられた交換レンズ側抵抗としての抵抗ＲＬを備えて構成される。抵抗ＲＬの抵抗値として、交換レンズ１００の種類に応じた値が予め設定されている。ここで、図２を参照して、互いに異なる種類の第１の交換レンズおよび第２の交換レンズ（交換レンズ１００）に対する、交換レンズ１００の種類の判定方法について説明する。図２は、交換レンズ１００の種類の判定方法の説明図である。図２（ａ）は交換レンズ１００として第１の交換レンズがカメラ１０に装着された場合、図２（ｂ）は第２の交換レンズがカメラ１０に装着された場合をそれぞれ示している。第１の交換レンズのレンズ種類判定部２１３には０Ωの抵抗ＲＬが設けられている。一方、第２の交換レンズのレンズ種類判定部２１３には３００ＫΩの抵抗ＲＬが設けられている。
【００２８】
本実施例において、第１の交換レンズは電源遮断許可レンズ（動画用レンズ）であり、第２の交換レンズは電源遮断不許可レンズ（静止画用レンズまたはＡＦ／ＭＦ切り替えスイッチを有するレンズ）である。カメラ１０において、マウント１ａのＤＴＥＦ端子１−５とカメラマイコン２０の動作用電源の電圧Ｖ２との間には、カメラ側抵抗としての抵抗Ｒ１（例えば１００ＫΩ）が接続されている。また、ＤＴＥＦ端子１−５は、カメラマイコン２０のＤＴＥＦ＿ＩＮ端子に接続されている。カメラマイコン２０のＤＴＥＦ＿ＩＮ端子は、ＡＤ変換機能（例えば１０ＢｉｔのＡＤ変換機能）を備えている。
【００２９】
続いて、カメラマイコン２０による交換レンズ１００の種類判定の動作について説明する。カメラマイコン２０は、ＤＴＥＦ＿ＩＮ端子に入力される電圧値に応じて、装着された交換レンズ１００の種類判定を行う。具体的には、カメラマイコン２０は、入力された電圧値をＡＤ変換し、そのＡＤ変換値とカメラマイコン２０が予め有するレンズ種類判定基準とを比較することで、交換レンズ１００の種類を判定する。
【００３０】
例えば、第１の交換レンズがカメラ１０に装着された場合、ＤＴＥＦ＿ＩＮ端子に入力される電圧のＡＤ変換値は、抵抗Ｒ１（１００ＫΩ）と抵抗ＲＬ（０Ω）との抵抗比ＲＬ／（Ｒ１＋ＲＬ）であり、略「０ｘ００００」と決定される。このため、カメラマイコン２０は、ＤＴＥＦ＿ＩＮ端子のＡＤ変換値が第１のレンズ種類判定基準である「０ｘ００００〜０ｘ００７Ｆ」の範囲内にあることを検出し、装着された交換レンズ１００が第１の交換レンズであると判定する。
【００３１】
一方、第２の交換レンズがカメラ１０に装着された場合、ＤＴＥＦ＿ＩＮ端子に入力される電圧のＡＤ変換値は、抵抗Ｒ１（１００ＫΩ）と抵抗ＲＬ（３００ＫΩ）との抵抗比ＲＬ／（Ｒ１＋ＲＬ）であり、略「０ｘ０２ＦＦ」と決定される。このため、カメラマイコン２０は、ＤＴＥＦ＿ＩＮ端子のＡＤ変換値が第２のレンズ種類判定基準である「０ｘ０２８０〜０ｘ０３７Ｆ」の範囲内にあることを検出し、装着された交換レンズ１００が第２の交換レンズであると判定する。
続いて、交換レンズ１００の種類に応じた、カメラ１０から交換レンズ１００への電力供給制御方法について説明する。カメラマイコン２０は、例えば以下の表１に従って、カメラ１０に装着された交換レンズ１００が電源遮断許可レンズであるか否かを判定する。
【００３２】
【表１】
2014021281.tif 000003
【００３３】
前述のとおり、カメラマイコン２０は、カメラ１０に装着された交換レンズ１００の種類を、ＤＴＥＦ＿ＩＮ端子に入力される電圧値（ＡＤ変換値）に基づいて判定する。そして、交換レンズ１００の種類の判定結果に応じて、カメラ１０に装着された交換レンズ１００が電源遮断許可レンズであるか電源遮断不許可レンズかを判定する。具体的には、カメラマイコン２０が、ＤＴＥＦ＿ＩＮ端子の電圧値に基づいて、交換レンズ１００が第１の交換レンズであると判定した場合、カメラマイコン２０は、カメラ１０の電源オフ時にＣＮＴ＿ＶＤＤ端子からＬ（Ｌｏｗ）レベル信号を出力する。ＣＮＴ＿ＶＤＤ端子からＬ（Ｌｏｗ）レベル信号が出力されると、レンズ電源供給判定部１９は、カメラ電源部２１で生成された電源電圧（電圧Ｖ１）を変換して得られた電圧Ｖ３のレンズ電源部２１４への出力を停止する。またこのとき、カメラ電源部２１で生成された電源電圧(電圧ＶＭ)のレンズ駆動部１０２への出力についても停止する。
【００３４】
またカメラマイコン２０が、ＤＴＥＦ＿ＩＮ端子の電圧値に基づいて、装着された交換レンズ１００が第２の交換レンズであると判定した場合、カメラマイコン２０は、カメラ１０の電源オフ時にもＣＮＴ＿ＶＤＤ端子からＨ（Ｈｉｇｈ）レベル信号を出力する。ＣＮＴ＿ＶＤＤ端子からＨ（Ｈｉｇｈ）レベル信号が出力されると、レンズ電源供給判定部１９は、カメラ電源部２１で生成された電圧Ｖ１（電源電圧）を電圧Ｖ３に変換し、レンズ電源部２１４へ出力する。またレンズ電源供給判定部１９は、カメラ電源部２１で生成された電圧ＶＭ（電源電圧）をレンズ駆動部１０２へ出力する。
【００３５】
カメラマイコン２０は、ＤＴＥＦ＿ＩＮ端子の電圧値（ＡＤ変換値）として上述の第１または第２のレンズ種類判定基準外の範囲の電圧値を検出した場合、カメラ１０が対応していない交換レンズ（非対応レンズ）が装着されたものと判定する。または、カメラマイコン２０は、レンズ種類の判定が正常に行うことができないとして、レンズ種類の判定を保留（Ｒｅｓｅｒｖｅｄ）する。これらの場合、カメラマイコン２０は、交換レンズ１００への電力供給を行わない、すなわちＣＮＴ＿ＶＤＤ端子からＬレベル信号を出力する。
【００３６】
次に、図３および図４を参照して、カメラ１０と交換レンズ１００との具体的な通信について説明する。図３は、カメラ１０と交換レンズ１００との通信におけるＤＣＬ＿ＯＵＴ、ＤＬＣ＿ＩＮ、ＣＣＬＫ端子の信号波形図である。ＤＬＣ＿ＯＵＴ端子とＣＣＬＫ端子は、同期クロック通信端子であるため、カメラマイコン２０は、ＣＣＬＫ端子の立ち上がり信号に同期してＤＬＣ＿ＯＵＴデータを送信する。
【００３７】
ＣＣＬＫ端子の信号波形において、一定時間Ｌレベル信号が出力されている領域は、レンズマイコン２１１がＣＣＬＫ端子をＬレベルに引き下げてレンズマイコン２１１の処理を待っている（Ｂｕｓｙ）状態を表している。レンズマイコン２１１は、通信処理が終了すると、ＬＣＬＫ端子をＨレベルに戻す処理を行う。同様に、ＤＣＬ＿ＩＮ端子とＣＣＬＫ端子は同期クロック通信であるため、カメラマイコン２０は、ＣＣＬＫ端子の立ち上がりに同期してＤＣＬ＿ＩＮデータを受信する。
【００３８】
図４は、カメラマイコン２０からレンズマイコン２１１に送信されるカメラコマンドを示すコマンド表である。図４の表に示されるように、カメラマイコン２０が入出力するデータ量は、カメラコマンドに応じて予め決定されている。例えば、カメラマイコン２０からカメラコマンド１０Ｈがレンズマイコン２１１に送信されると、レンズマイコン２１１はレンズＩＤやＡＦ／ＭＦモード情報などのレンズ情報を取得するためのレンズ情報要求と認識する。このとき、データ数は２であるため、２バイト分のデータとしてＣＣＬＫ信号に同期してレンズ情報がカメラマイコン２０に送信される。
【００３９】
他のカメラコマンドの例として、カメラコマンド１２Ｈは４バイトのレンズ制御開始準備処理要求コマンドである。これは、レンズ駆動開始のため絞りユニットなど、交換レンズ１００内の各ユニットの初期化を要求するコマンドである。カメラコマンド１４Ｈは、４バイトの電力供給遮断準備処理要求コマンドであり、これを受信した交換レンズ１００はフォーカス停止制御、ＩＳ駆動停止制御、および、絞り制御を行う。カメラコマンド２０Ｈは、交換レンズ１００にＡＦ動作を開始させる要求コマンドである。また、レンズマイコン２１１が送信するコマンド（レンズコマンド）にも同様に多くの種類のコマンドが存在するが、詳しい説明は省略する。
【００４０】
次に、図５Ａおよび図５Ｂを参照して、カメラ１０が電源オフ状態から電源オン状態へ遷移する際におけるカメラ１０および交換レンズ１００の具体的動作について説明する。図５Ａは、カメラ１０が電源オフ状態から電源オン状態へ遷移する際のカメラ１０の動作を示すフローチャートである。本フローは、例えば、カメラマイコン２０に格納されたプログラムに従って実行される。
【００４１】
ステップＳ３００において本フローが開始すると、まずステップＳ３０１において、カメラマイコン２０はカメラ１０の電源オン状態へ遷移する要因（カメラ電源オン要因）が発生したか否かを判定する。この要因は、カメラ１０が有する不図示の電源スイッチをユーザがオフ状態からオン状態に切り替えた場合や、交換レンズ１００が新たにカメラ１０に装着された場合に発生する要因である。カメラマイコン２０は、カメラ電源オン要因が発生するまでステップＳ３０１を繰り返す。一方、カメラ電源オン要因が発生すると、ステップＳ３０２へ移行する。
【００４２】
続いてステップＳ３０２において、レンズ種別判定が行われる。ここで、カメラマイコン２０は、レンズ種類判定部２１３から出力される電圧レベルに応じて交換レンズ１００の種類、すなわち装着された交換レンズ１００が電力供給遮断許可レンズであるか否かを判定する。ステップＳ３０２の判定結果により、装着された交換レンズ１００が電力供給遮断許可レンズであると判定された場合、ステップＳ３０３へ移行する。一方、交換レンズ１００が電力供給遮断許可レンズでない場合、ステップＳ３０８へ移行して本フローを終了する。
【００４３】
ステップＳ３０３において、カメラマイコン２０はＣＮＴ＿ＶＤＤ端子をＨレベルに設定し、交換レンズ１００へ電源を供給するようにレンズ電源供給判定部１９を制御する。続いてステップＳ３０４において、カメラマイコン２０はコマンド通信によりレンズ制御開始準備処理要求コマンドを発行し、交換レンズ１００におけるレンズの駆動を開始するため、絞り初期化処理などの各ユニットの初期化制御を要求する。ここで、絞り初期化処理は、カメラ１０で設定されている絞り値まで絞り駆動（絞り開放処理）を行う制御であり、絞り制御は、レンズマイコン２１１が絞り制御部１０４を制御することで行われる。
【００４４】
続いてステップＳ３０５において、カメラマイコン２０は、交換レンズ１００におけるレンズ制御開始準備処理（絞り開放処理）が正常に完了したか否か、すなわち完了通知を受信したか否かを判定する。レンズ制御開始準備処理（絞り開放処理）が正常に完了している場合、ステップＳ３０８へ移行して本フローを終了する。
【００４５】
一方、ステップＳ３０５においてレンズ制御開始準備処理（絞り開放処理）が正常に完了していないと判定された場合、ステップＳ３０６へ移行する。ステップＳ３０６では、レンズ制御開始準備処理中にカメラマイコン２０がエラー通知を受信したか否かを判定する。エラー通知を受信した場合、ステップＳ３０７に移行してエラー通知の内容を表示部１４に表示させ、ステップＳ３０８において本フローを終了する。一方、エラー通知を受信していない場合、ステップＳ３０５へ戻り、カメラマイコン２０は交換レンズ１００からの通知を待つ。
【００４６】
図５Ｂは、カメラ１０が電源オフ状態から電源オン状態へ遷移する際の交換レンズ１００の動作を示すフローチャートである。本フローは、例えば、レンズマイコン２１１に格納されたプログラムに従って実行される。ステップＳ４００において本フローが開始すると、まずステップＳ４０１において、カメラマイコン２０はカメラ１０に装着された交換レンズ１００が電力供給遮断許可レンズであるか否かを判定する。交換レンズ１００が電力供給遮断許可レンズでない場合、交換レンズ１００は常に電力供給状態にあり、電力供給遮断状態から電力供給状態へ移行することはないため、本フローの処理を終了する。
【００４７】
一方、ステップＳ４０１において、交換レンズ１００が電力供給遮断許可レンズである場合、ステップＳ４０２へ移行する。ステップＳ４０２において、レンズマイコン２１１は、カメラマイコン２００から電力の供給を待つ。レンズマイコン２１１に電力が供給されると、ステップＳ４０３へ移行する。続いてＳ４０３において、レンズマイコン２１１は、カメラマイコン２００からレンズ制御開始準備処理要求、すなわちレンズ制御開始準備処理要求命令のコマンド通信を受信したか否かを判定する。レンズマイコン２１１は、このコマンド通信を受信するまでステップＳ４０３を繰り返す。一方、レンズマイコン２１１は、このコマンド通信を受信すると、レンズ駆動部１０２などの各ユニットにレンズ駆動を開始するための初期化制御命令を発行する。ここで行われる初期化制御では、絞りユニット１０５の初期化も行われる。具体的には、カメラ１０にて設定されている絞り値まで絞りを開放する処理（絞り開放処理）が行われる。
【００４８】
続いてステップＳ４０４において、レンズマイコン２１１は、ステップＳ４０３における初期化制御命令に基づく初期化制御が完了したか否かを判定する。初期化処理が正常に完了した場合にはステップＳ４０５へ移行する。そしてステップＳ４０５において、レンズマイコン２１１は、カメラマイコン２００へレンズ制御開始準備処理の完了を通知する。そしてステップＳ４０８において、レンズマイコン２１１は本フローを終了する。
【００４９】
一方、ステップＳ４０４において、初期化処理が正常に完了していない場合にはステップＳ４０６へ移行する。ステップＳ４０６において、レンズマイコン２１１は、ステップＳ４０３で発行された初期化制御命令による初期化処理が失敗したか否か、すなわちエラーが発生したか否かを判定する。初期化処理が失敗した場合にはステップＳ４０７へ移行する。そしてステップＳ４０７において、レンズマイコン２１１はステップＳ４０６で発生した初期化処理失敗のエラー通知をカメラマイコン２００へ通知して、本フローを終了する。一方、初期化処理が失敗していない場合にはステップＳ４０４へ戻り、再度、初期化制御命令の処理結果を待つ。
【００５０】
次に、図６Ａおよび図６Ｂを参照して、カメラ１０が電源オン状態から電源オフ状態へ遷移する際におけるカメラ１０および交換レンズ１００の具体的動作について説明する。図６Ａは、カメラ１０が電源オン状態から電源オフ状態へ遷移する際のカメラ１０の動作を示すフローチャートである。本フローは、例えば、カメラマイコン２０に格納されたプログラムに従って実行される。
【００５１】
ステップＳ５００において本フローが開始すると、まずステップＳ５０１において、カメラマイコン２０はカメラ１０の電源オフ状態へ遷移する要因（カメラ電源オフ要因）が発生したか否かを判定する。この要因は、カメラ１０が有する不図示の電源スイッチをユーザがオン状態からオフ状態に切り替えた場合や、所定時間カメラ操作が行われずにオートパワーオフ状態に遷移した場合などの要因である。カメラマイコン２０は、カメラ電源オフ要因が発生するまでステップＳ５０１を繰り返す。一方、カメラ電源オン要因が発生すると、ステップＳ５０２へ移行する。
【００５２】
続いてステップＳ５０２において、カメラマイコン２０は、カメラ１０に装着されている交換レンズ１００の種類を判定する（レンズ種別判定を行う）。ここでは、前述のように、レンズ種類判定部２１３から出力される電圧レベルに応じて交換レンズ１００の種類が判定される。ステップＳ５０２において、交換レンズ１００が電力供給遮断許可レンズである場合、ステップＳ５０３に移行する。一方、交換レンズ１００が電力供給遮断許可レンズでない場合、ステップＳ５０８に移行して本フローを終了する。
【００５３】
ステップＳ５０３において、カメラマイコン２０は、電力供給遮断準備処理要求（Ｆｏｃｕｓ停止要求、ＩＳ駆動停止要求、沈胴格納要求、絞り要求）をレンズマイコン２１１に発行する。レンズマイコン２１１は、電力供給遮断準備処理要求に基づいて、Ｆｏｃｕｓ停止処理、ＩＳ駆動停止処理、沈胴格納処理、および、絞り処理を行う。ここで、絞り処理（絞り制御）は、カメラ１０の電源オフ時に設定された絞り値（第１の絞り状態）が所定値（第２の絞り状態）になるまで絞りユニット１０５を駆動し、太陽光がセンサ１１に入り込むことを防ぐための処理である。なお、第２の絞り状態は最小絞り状態であることが好ましいが、これに限定されるものではない。
【００５４】
続いてステップＳ５０４において、カメラマイコン２０は、ステップＳ５０３で発行された電力供給遮断準備処理要求コマンドに対して、正常に電力供給遮断準備処理が行われたか否かを判定する。この判定は、具体的には、レンズマイコン２１１から送られる電力供給遮断許可通知を受信したか否かにより行われる。ステップＳ５０４においてカメラマイコン２０が電力供給遮断許可通知を受信した場合、ステップＳ５０７に移行する。一方、カメラマイコン２０が電力供給遮断許可通知を受信していない場合、ステップＳ５０５へ移行する。
【００５５】
続いてステップＳ５０７において、カメラマイコン２０は、交換レンズ１００への電力供給遮断処理を行う。具体的には、前述のように、カメラマイコン２０のＣＮＴ＿ＶＤＤ端子の出力をＬレベルに設定し、レンズ電源供給判定部１９から交換レンズ１００への電力供給を停止する処理である。
【００５６】
ステップＳ５０５では、カメラマイコン２０は、ステップＳ５０３にて発行された電源オフ処理要求コマンドに対して、エラー通知（エラー情報）を受信していないか否かを判定する。エラー通知は、レンズマイコン２１１で行われる電力供給遮断準備処理要求に対する処理がエラーの場合に送信される通知である。カメラマイコン２０がエラー通知を受信すると、ステップＳ５０６へ移行する。ステップＳ５０６において、カメラマイコン２０はステップＳ５０５にて受信したエラー通知の内容（エラーメッセージ）を表示部１４に表示させる。そしてステップＳ５０８に移行して本フローを終了する。一方、カメラマイコン２０がエラー通知を受信していない場合、ステップＳ５０４に戻り、カメラマイコン２０は、再度、レンズマイコン２１１から電力供給遮断準備処理の完了通知を待つ。
【００５７】
図６Ｂは、カメラ１０が電源オン状態から電源オフ状態へ遷移する際の交換レンズ１００の動作を示すフローチャートである。本フローは、例えば、レンズマイコン２１１に格納されたプログラムに従って実行される。ステップＳ６００において本フローが開始すると、まずステップＳ６０１において、レンズマイコン２１１はカメラマイコン２０から電力供給遮断準備処理要求を受信したか否かを判定する。レンズマイコン２１１は、電力供給遮断準備処理要求を受信するまでステップＳ６０１を繰り返す。レンズマイコン２１１が電力供給遮断準備処理要求を受信すると、ステップＳ６０２へ移行する。
【００５８】
ステップＳ６０２において、レンズマイコン２１１は電力供給遮断準備処理、具体的には、Ｆｏｃｕｓ停止処理、ＩＳ駆動停止処理、沈胴格納処理、および、絞り処理を行う。ここで、絞り処理は、予め決定された値まで絞り駆動を行い太陽光がセンサ１１に入り込むことを防ぐための処理である。続いてステップＳ６０３において、レンズマイコン２１１は、ステップＳ６０２での電力供給遮断準備処理を完了したか否かを判定する。電力供給遮断準備処理が正常に完了した場合、ステップＳ６０４へ移行する。そしてステップＳ６０４において、レンズマイコン２１１はカメラマイコン２０へ電力供給遮断許可をカメラ１０へ通知し、ステップＳ６０７へ移行して本フローを終了する。
【００５９】
一方、ステップＳ６０４において電力供給遮断準備処理が正常に完了していない場合、ステップＳ６０５へ移行する。そしてステップＳ６０５において、レンズマイコン２１１は、ステップＳ６０２での電力供給遮断準備処理で処理エラーが発生したか否かを判定する。ステップＳ６０５において処理エラーが発生していない場合、ステップＳ６０３へ戻り、再度、電力供給遮断準備処理が完了したか否かを判定する。一方、ステップＳ６０５においてエラーが発生した場合、ステップＳ６０６へ移行し、エラーの内容をカメラマイコン２０へ通知する。そしてステップＳ６０７へ移行して、本フローを終了する。
【００６０】
図５Ａ、５Ｂ、６Ａ、６Ｂに示されるように、カメラマイコン２０（制御部）は、交換レンズ１００の種類に基づいて、カメラ１０の電源がオフになった場合に交換レンズ１００への電力供給を停止するか否かを判定する（Ｓ５０２）。また、カメラマイコン２０は、カメラ１０の電源がオフになって交換レンズ１００への電力供給を停止すると判定した場合、交換レンズ１００に設定された第１の絞り状態から第２の絞り状態になるように絞り制御を行う（Ｓ５０３、Ｓ５０４）。そして、絞り制御を完了した後に交換レンズ１００への電力供給を停止する（Ｓ５０７）。カメラマイコン２０は、その後にカメラ１０の電源がオンになった場合、交換レンズ１００に電力供給を行って、第２の絞り状態から第１の絞り状態になるように開放制御を行う（Ｓ３０４、Ｓ４０４）。
【００６１】
一方、レンズマイコン２１１は、カメラ１０の電源がオフになった場合、カメラ１０からの指令に応じて、第１の絞り状態から第２の絞り状態になるように絞り制御を行い（Ｓ６０２、Ｓ６０３）、絞り制御が完了したことをカメラ１０へ通知する（Ｓ６０４）。レンズマイコン２１１は、その後にカメラ１０の電源がオンになった場合、カメラ１０からの電力供給後に、第２の絞り状態から第１の絞り状態になるように開放制御を行う（Ｓ４０３、Ｓ４０４）。
【００６２】
本実施例において、カメラ１０は、交換レンズ１００の種類を判定するための端子（ＤＴＥＦ端子１−５）を有する。そしてカメラマイコン２０は、交換レンズ１００からＤＴＥＦ端子１−５に入力される電圧値に基づいて交換レンズ１００の種類を判定する。
【００６３】
以上のように制御することで、カメラが電源オン状態から電源オフ状態へ遷移した場合、交換レンズの種類に応じた最適な動作を行うことができる。具体的には、交換レンズが電力供給遮断許可レンズである場合（動画用レンズである場合）、カメラが電源オン状態から電源オフ状態へ遷移する際に、省電力化のためレンズへの電力供給を停止する。また、所定の値まで絞り値を制御し、センサへの太陽光の焼き付きを保護する。一方、交換レンズが電力供給遮断許可レンズでない場合（静止画用レンズである場合）、カメラが電源オン状態から電源オフ状態へ遷移しても交換レンズへの電力供給を継続する。このため、次にカメラが電源オフ状態から電源オン状態へ遷移した場合、カメラと交換レンズとの間のデータ通信や絞り制御を含むレンズ制御開始準備処理などを省略することができる。したがって、ユーザは速やかに撮影動作に移行することが可能となる。
【実施例２】
【００６４】
次に、図７を参照して、本発明の実施例２について説明する。図７は、カメラ１０が電源オン状態から電源オフ状態へ遷移する際のカメラ１０の動作を示すフローチャートである。本フローは、例えば、カメラマイコン２０に格納されたプログラムに従って実行される。本実施例におけるカメラシステムの構成および図７のフローチャート以外の動作は、実施例１と同様であるため、これらの説明は省略する。また、図７のフローチャートは、ステップＳ７０１、Ｓ７０２が付加されている点で、実施例１における図６Ａのフローチャートと異なる。その他のフローは図６Ａと同様であるため、共通する説明は省略する。
【００６５】
図７のステップＳ５０５において、カメラマイコン２０は、ステップＳ５０３にて発行された電源オフ処理要求コマンドに対して、エラー通知（エラー情報）を受信していないか否かを判定する。エラー通知は、レンズマイコン２１１で行われる電力供給遮断準備処理要求に対する処理がエラーの場合に送信される通知である。カメラマイコン２０がエラー通知を受信すると、ステップＳ７０１へ移行する。
【００６６】
ステップＳ７０１において、カメラマイコン２０は、ステップＳ５０５で受信したエラー通知の内容が絞り制御に関するエラーであるか、すなわちエラー要因に絞り制御に関するエラーが含まれるか否かを判定する。その結果、エラー要因に絞り制御に関するエラーが含まれている場合、ステップＳ５０６へ移行し、エラー通知の内容（エラーメッセージ）を表示部１４に表示させて本フローを終了する。
【００６７】
一方、ステップＳ７０１においてエラー要因に絞り制御に関するエラーが含まれていない場合、ステップＳ７０２へ移行する。ステップＳ７０２において、カメラマイコン２０は、絞り要求コマンドを発行して絞り制御を行う。絞り制御が完了するとステップＳ５０６へ移行し、エラー通知の内容（エラーメッセージ）を表示部１４に表示させて本フローを終了する。
【００６８】
図７に示されるように、カメラマイコン２０は、カメラ１０の電源がオフになって交換レンズ１００への電力供給を停止すると判定した場合、交換レンズ１００から電源オフ準備処理のエラー通知を受信したか否かを判定する（Ｓ５０５）。続いてカメラマイコン２０は、エラー通知を受信した場合、絞り制御に関するエラーが含まれるか否かを判定する（Ｓ７０１）。ここで、エラー通知に絞り制御に関するエラーが含まれていない場合、第１の絞り状態から第２の絞り状態になるように絞り制御を行った後に交換レンズ１００への電力供給を停止する（Ｓ７０２）。
【００６９】
以上のように制御することで、カメラが電源オン状態から電源オフ状態へ遷移した場合、交換レンズの種類に応じた最適な動作を行うことができる。具体的には、交換レンズが電力供給遮断許可レンズである場合（動画用レンズである場合）、カメラが電源オン状態から電源オフ状態へ遷移する際に、省電力化のためレンズへの電力供給を停止する。また、所定の値まで絞り値を制御し、センサへの太陽光の焼き付きを保護する。一方、交換レンズが電力供給遮断許可レンズでない場合（静止画用レンズである場合）、カメラが電源オン状態から電源オフ状態へ遷移しても交換レンズへの電力供給を継続する。このため、次にカメラが電源オフ状態から電源オン状態へ遷移した場合、カメラと交換レンズとの間のデータ通信や絞り制御を含むレンズ制御開始準備処理などを省略することができる。したがって、ユーザは速やかに撮影動作に移行することが可能となる。また、交換レンズの電力供給遮断準備処理に失敗した場合でも、少なくとも所定の値までの絞り値を制御するため、センサへの太陽光の焼き付きを保護することができる。
【実施例３】
【００７０】
次に、図８を参照して、本発明の実施例３について説明する。図８は、交換レンズ１００に切り替えスイッチ（スイッチ）がある場合と交換レンズ１００に切り替えスイッチがない場合に応じて、カメラ１０の電源オフ時における具体的な機能切り替え処理を示すフローチャートである。なお本実施例において、機能切り替えとして、ＡＦ／ＭＦの機能切り替えについて説明するが、これに限定されるものではない。ＡＦ／ＭＦの機能の切り替え以外にも、本実施例は、ＩＳスイッチやフォーカスプリセットスイッチなどの機能スイッチにも適用可能である。また本実施例において、実施例１と同様の箇所の説明は省略する。
【００７１】
本実施例において、カメラマイコン２０（制御部）は、交換レンズ１００の種類に基づいて、交換レンズ１００が所定の機能を切り替えるスイッチ（ＡＦ／ＭＦの機能を切り替えるＡＦ／ＭＦ切り替えスイッチ）を有するか否かを判定する。例えば、カメラマイコン２０は、以下の表２に従って、カメラ１０に装着された交換レンズがＡＦ／ＭＦ切り替えスイッチを有するか否かを判定する。
【００７２】
【表２】
2014021281.tif 000004
【００７３】
より具体的には、カメラマイコン２０は、ＤＴＥＦ＿ＩＮ端子の電圧値（ＡＤ変換値）に基づいて、装着された交換レンズ１００が第１の交換レンズである場合、それをＡＦ／ＭＦ切り替えスイッチを有さない交換レンズであると判定する。また、交換レンズ１００が第２の交換レンズである場合、それをＡＦ／ＭＦ切り替えスイッチを有する交換レンズであると判定する。また、ＤＴＥＦ＿ＩＮ端子の電圧値（ＡＤ変換値）として、前述の第１または第２のレンズ種類判定基準外の範囲の電圧値を検出した場合、カメラマイコン２０は、カメラ１０が対応していない交換レンズ（非対応レンズ）が装着されたものと判定する。または、レンズ種類判定を正常に行うことができないとして、レンズ種類判定を保留（Ｒｅｓｅｒｖｅｄ）する。これらの場合、カメラマイコン２０は、交換レンズ１００へのコマンド要求通信などの制御を行わない。
【００７４】
ステップＳ８００において図８のフローが開始すると、まず、ステップＳ８０１において、カメラマイコン２０は、カメラ１０に交換レンズ１００が装着されているか否かを判定する。具体的には、前述のように、カメラマイコン２０は、ＭＩＦ＿ＩＮ端子の電圧値に応じて交換レンズ１００の装着の有無を判定する。ステップＳ８０１においてカメラ１０に交換レンズ１００が装着されていないと判定された場合、ステップＳ８０９へ移行し、交換レンズが非装着である場合の動作（レンズ非装着動作）が開始する。具体的には、交換レンズが非装着であることを示す警告文を表示部１４に表示させる。
【００７５】
一方、ステップＳ８０１においてカメラ１０に交換レンズ１００が装着されていると判定された場合、ステップＳ８０２へ移行する。ステップＡＳ８０２において、カメラマイコン２０はレンズ種別判定、すなわち装着された交換レンズが機能切り替えスイッチを有するレンズであるか否かの判定を行う。この判定は、前述のように、レンズ種類判定部２１３から出力される電圧レベルに基づいて行われる。ステップＳ８０２において、カメラ１０に装着された交換レンズ１００が第１の交換レンズであると判定された場合、そのレンズはＡＦ／ＭＦ切り替えスイッチを有さないレンズであると判定され、ステップＳ８１１へ移行する。一方、交換レンズ１００が第２の交換レンズであると判定された場合、そのレンズはＡＦ／ＭＦ切り替えスイッチを有するレンズと判定され、ステップＳ８０７へ移行する。
【００７６】
ステップＳ８１１において、カメラマイコン２０は、カメラ１０が電源オフ状態から電源オン状態へ遷移する要因が発生したか否かを判定する。この要因は、カメラ１０が有する不図示の電源スイッチをユーザがオフ状態からオン状態に切り替えるなどの操作により発生する。電源オン状態へ遷移する要因が発生した場合、ステップＳ８０３へ移行する。
【００７７】
続いてステップＳ８０３において、カメラマイコン２０は、レンズ情報要求コマンドを発行し、レンズマイコン２１１からレンズ情報を取得する。そしてステップＳ８０４において、カメラマイコン２０は、取得したレンズ情報をメニュー項目と併せて、表示部１４に表示する。このように、交換レンズ１００がＡＦ／ＭＦ切り替えスイッチを有さないレンズである場合、メニュー項目からＡＦ／ＭＦを行う。一方、交換レンズ１００がＡＦ／ＭＦ切り替えスイッチを有するレンズである場合、機能スイッチの切り替えＡＦ／ＭＦを行う。
【００７８】
続いてステップＳ８０５において、カメラマイコン２０は、メニュー項目でＡＦ／ＭＦが変更されたか否かを判定する。ＡＦ／ＭＦを変更する際には、ユーザがステップＳ８０４にて表示されたメニュー項目からＡＦ／ＭＦの切り替え項目を選択し、ＡＦ／ＭＦの変更を行う。ステップＳ８０５は、ＡＦ／ＭＦの変更が行われるまで繰り返される。ステップＳ８０５においてＡＦ／ＭＦが変更された場合には、ステップＳ８０６へ移行する。そしてステップＳ８０６において、カメラマイコン２０は、変更されたＡＦ／ＭＦ情報をレンズマイコン２１１へ通知し、ステップＳ８１０にて本フローを終了する。
【００７９】
一方、ステップＳ８０７において、レンズマイコン２１１は、交換レンズ１００が有する不図示のＡＦ／ＭＦスイッチでＡＦ／ＭＦの切り替え（操作）が行われたか否かを判定する。この判定は、ＡＦ／ＭＦの切り替え操作が行われるまで繰り返される。ＡＦ／ＭＦの切り替え操作が行われた場合には、ステップＳ８０８へ移行する。そしてステップＳ８０８において、レンズマイコン２１１は、切り替えられた情報（スイッチ情報）をカメラマイコン２０へ通知する。この通知を受け取ったカメラマイコン２０は、カメラ１０が電源オフ状態であっても電源オン状態に遷移し、通知された情報に従ってカメラ１０内の設定を変更する。
【００８０】
図８に示されるように、カメラマイコン２０は、交換レンズ１００がスイッチを有する場合、交換レンズ１００からスイッチが切り替えられたことの通知を受信する（Ｓ８０８）。そしてカメラマイコン２０は、カメラ１０の電源を自動的にオンにして所定の機能（ＡＦ／ＭＦの機能）の切り替えをカメラ１０に反映させる。一方、交換レンズ１００がスイッチを有しない場合、カメラ１０の電源がオンになった後に、所定の機能の切り替えの要否をメニュー項目として表示部１４に表示させる（Ｓ８０４）。
【００８１】
一方、レンズ種類判定部２１３は、交換レンズ１００の種類に基づいて、交換レンズ１００が所定の機能を切り替えるスイッチを有するか否かを判定する（Ｓ８０２）。そしてレンズマイコン２１１は、交換レンズ１００がスイッチを有する場合、カメラ１０の電源をオンにして所定の機能の切り替えをカメラ１０に反映させるように、スイッチが切り替えられたことをカメラ１０に通知する（Ｓ８０８）。
【００８２】
以上のとおり、交換レンズ１００がＡＦ／ＭＦ切り替えスイッチを有さない場合は、カメラ１０が電源オン状態に移行した後、メニュー項目からＡＦ／ＭＦを切り替える。一方、交換レンズ１００がＡＦ／ＭＦ切り替えスイッチを有する場合は、ＡＦ／ＭＦスイッチの切り替えを検出したレンズマイコン２１１が変更内容を通知する。この通知を受信したカメラマイコン２０は、自動的に電源オン状態となり変更内容を反映する。このような処理により、ＡＦ／ＭＦスイッチを有する交換レンズとＡＦ／ＭＦスイッチを有さない交換レンズのいずれがカメラ１０に装着されている場合でも、正しくＡＦ／ＭＦスイッチの切り替え処理を行うことができる。また、カメラ１０が電源オフ状態であっても交換レンズ１００にＡＦ／ＭＦスイッチがある場合には、切り替えスイッチより即座にユーザはＡＦ／ＭＦの切り替えを行い、撮影を行うことができる。なお本実施例において、スイッチの切り替え機能をＡＦ／ＭＦとしたが、これに限定されるものではなく、ＩＳスイッチやフォーカスプリセットスイッチなどの機能スイッチとしてもよい。
【００８３】
以上、本発明の好ましい実施形態について説明したが、本発明はこれらの実施形態に限定されず、その要旨の範囲内で種々の変形及び変更が可能である。
【符号の説明】
【００８４】
１０  カメラ
１１  センサ
２０  カメラマイコン
１００  交換レンズ
【図５Ａ】
2014021281.tif 000005
【図５Ｂ】
2014021281.tif 000006
【図６Ａ】
2014021281.tif 000007
【図１】
2014021281.tif 000008
【図２】
2014021281.tif 000009
【図３】
2014021281.tif 000010
【図４】
2014021281.tif 000011
【図６Ｂ】
2014021281.tif 000012
【図７】
2014021281.tif 000013
【図８】
2014021281.tif 000014